(57)【要約】　　　（修正有）【課題】遠方から表示の意味が判断でき、制御装置が簡易で、表示部分と操作部分間のコードの長さが選択でき、簡単に電力の供給ができる。【解決手段】１個の多色８ｘ８ドット・マトリックスＬＥＤ１２、駆動出力回路付８ビットのワンチップ・マイコン１３、既存のモジュラー・コード２０、およびオン／オフ・スイッチ３０で構成し、パーソナル・コンピュータ６０のＵＳＢ端子６１の電源を利用した。【選択図】　　　　図１
0003097203.tif 000002
【実用新案登録請求の範囲】
【請求項１】
赤色と緑色ＬＥＤから成る１個の８ｘ８ドット・マトリックスＬＥＤ（以下、ドットＬＥＤ）１２と８ビット・ワンチップ・マイコン（以下、マイコン）１３を含むＬＥＤモジュール１１、コネクタ２１を含むモジュラー・コード（以下、コード）２０、および電源コード３５を含むスイッチ・ボックス（以下、スイッチ）３０で構成され、表示のモードにより文字・記号・絵４０を表示させるＬＥＤ文字表示装置（以下、表示装置）１０。
【請求項２】
目的により文字・記号・絵４０の表示を、主に赤色文字４１、主に緑色文字４２、それに赤色と緑色の組合せた主に橙色文字４３で表現する請求項１の表示装置１０。
【請求項３】
ドットＬＥＤ１２で表示される文字・記号・絵４０のドット間の移動を、“ＡＢ”５１から“Ｂ”５２の場合と“Ｂ”５２から“ＢＣ”５３の場合に、時間を変えて表現に強調を付けた請求項１の表示装置１０。
【請求項４】
タイマー時間の設定時間をパワー・スイッチ３１のオフ／オン操作でマイコン１３に書込み、文字・記号・絵４０の表示に含まれる計時されたタイマー時間４４を表示する請求項１の表示装置１０。
【請求項５】
電源コード３５をパーソナル・コンピュータ（以下、パソコン）６０のＵＳＢ端子６１に接続する請求項１の表示装置１０。
【考案の詳細な説明】
【０００１】
【考案の属する技術分野】
この考案は、離れたところの１個の多色ドットＬＥＤモジュールの文字・記号・絵の表示モードをモジュラー・コードで接続したスイッチ・ボックスで設定して、勤務場所での「在室」や「外出」を伝えるＬＥＤ文字表示装置に関するものである。
【０００２】
【従来の技術】
従来、勤務場所での「在室」や「外出」等は、紙の上の行先を回転式に示す表示器、掲示板、それにメモ等で知らされた。
【０００３】
【考案が解決しようとする課題】
勤務室の出入口や間仕切りの壁に小型な表示器を取付け「在室」や「外出」等の状況を表示する表示装置には、発光することなど遠方から表示の意味が判断できること、制御装置の簡易であること、表示部分と操作部分間のコードの長さが選択できること、それに簡単に電力の供給ができることなどの課題があった。
【０００４】
【課題を解決するための手段】
上記の目的を達成するための表示装置は、１個の多色８ｘ８ドット・マトリックスＬＥＤ、駆動出力回路付８ビットのワンチップ・マイコン、既存のモジュラー・コード、およびオン／オフ・スイッチで構成し、また、パーソナル・コンピュータのＵＳＢ端子の電源を利用した。
【０００５】
また、遠方より状況が判断し易いように、各表示モードを主に赤色、主に緑色、主に赤と緑の組合せの橙色で表示し、発光する色に意味を持たせた。
【０００６】
なお、ドット数の少ない８ｘ８ドットの欠点を補強するため、ドット間の文字等の送りの速さを変えて、文字等の切換えは短く、完全な文字の時の時間を長くして表示を強調した。
【０００７】
【考案の実施の形態】
考案の実施の形態について、図面を参照して説明する。
図１は表示装置１０とその応用の構成図で、表示装置１０は大きく分けて、ＬＥＤモジュール１１、コード２０、スイッチ３０で構成され、その電源はパソコン６０に接続されている。なお、表示装置１０は、表示モードにより文字・記号・絵４０を表示する。
【０００８】
図１の表示装置１０を詳しく説明すると、ＬＥＤモジュール１１の１個のドットＬＥＤ１２は、文字・記号・絵４０をプログラムに従ってダイナミック・スキャンで発光し、かつ、横１ドット分を移動しながら流れるように表示し、全体の表示を繰返す。なお、この表示に含まれるタイマー時間４４はカウント・ダウンして、計時時間を示す。
【０００９】
また、コード２０は電源や信号を伝達する４芯以上のコードで、ＬＥＤモジュール１１とスイッチ３０間の距離に合わせて、数メートルから十数メートルに及ぶ既存の製品を選ぶことができる。
【００１０】
なお、スイッチ３０は複数のスイッチから成り、ＬＥＤモジュール１１の電源のオン・オフ、タイマー時間４４の初期時間の設定、それに文字・記号・絵４０のモードの設定を行う。
【００１１】
図２はＬＥＤモジュール１１の構成を示す。ドットＬＥＤ１２とマイコン１３は基板１４の上に実装され、それぞれの３個の８ビットラインで、ドットＬＥＤ１２の駆動入力のポート（赤色、緑色、それにスキャン用）１５とマイコン１３の出力ポート１６に接続されている。マイコン１３はドットＬＥＤ１２を直接駆動するドライバー回路を備えてあり、外部のドライバー回路は必要ない。
【００１２】
図３はスイッチ３０の構成を示す。パワー・スイッチ３１をオンするとコード２０を通してＬＥＤモジュール１１に電源を供給する。また、モード・スイッチＡ３３とモード・スイッチＢ３４により４組の組合せができるが、電源のオフ・オンのリセット操作でタイマー時間４４の初期時間が設定され、その後のモード・スイッチＡ３３とモード・スイッチＢ３４により文字・記号・絵４０のモードが設定される。ここで、オン・オフＬＥＤ３２はパワー・スイッチ３１の動作状態を示す。
【００１３】
図４は文字・記号・絵４０の表示モードの例で、「忙中・・」であれば主に赤色文字４１、「在中・・」であれば主に緑色文字４２、それに「社内・・」であれば主に橙色文字４３のＬＥＤを使用する。このことにより、文字が読みにくい角度や距離の所へも勤務室の状況を知らせることができる。ここでは、それぞれの表示モード（４１，４２，４３）にタイマー時間４４が含まれている。
【００１４】
図５は文字・記号・絵４０の表示の移動について説明した図で、例えば、“ＡＢ”５１はドットＬＥＤ１２のダイナミック・スキャン駆動により“Ａ”と“Ｂ”の一部を発光により表示している。ここで、全体の文字・記号・絵４０は縦１列のドットを徐々に移動させて表示するが、ドットＬＥＤ１２は横に８ドットしかなく、同一の移動速度では読取りにくい。このためドット間の移動の時間を“ＡＢ”５１から次の“Ｂ”５２では短く、“Ｂ”５２から“ＢＣ”５３では長くすることにより、文字表示の切替時間を短く、文字そのものの表示を長くして確実に表すことができる。
【００１５】
【実施例】
実施例について図１を参照して説明すると、ＬＥＤモジュール１１は約２５ｍｍｘ３５ｍｍｘ１０ｍｍ、または約３５ｍｍｘ４０ｍｍｘ１０ｍｍの大きさで、勤務場所の出入口や間仕切りに簡単に取りつけることができる。コード２０は既製品があり、１ｍ、２ｍ、３ｍ、１０ｍ、２０ｍとＬＥＤモジュール１１とスイッチ３０の距離から選択できる。この表示装置１０の消費電力は１００ｍＡ以下であり、パソコン６０のＵＳＢ端子６１から十分供給することができる。
【００１６】
図２の実施例として、マイコン１３は、約２０ｍＡの駆動出力を持つ約１０ｍｍｘ１０ｍｍｘ１ｍｍの大きさのチップを基板１４の表面に実装した。
【００１７】
図４の実施例として主に赤色文字４１の「忙中・・」、主に緑色文字４２の「在中・・」、主に橙色文字４３の「外出・・」と「社内・・」の４種類を設定した。また、タイマー時間４４は約１２０分、約６０分、約３０分、それに０分の４種類を設定し、１０分毎にカウント・ダウンして文字・記号・絵４０の表示に加えた。
【００１８】
図５の実施例として、“ＡＢ”５１から“Ｂ”５２の早送りは横１ドット・ラインを５０ｍ秒以内、“Ｂ”５２から“ＢＣ”５３の送りは１００ｍ秒以上に設定した。
【００１９】
【考案の効果】
本考案は、上述のとおり構成されているので、次に記載する効果を得た。
【００２０】
請求項１のＬＥＤ文字表示装置において、多色ＬＥＤ（発光素子）の８ｘ８個のドットで文字・記号・絵が鮮明に表示できた。また、掲示する場所と操作する場所を離すことができ、その上、表示装置の電源もパソコンから取ることのできるなど、小型で利用しやすい特徴を持っている表示装置である。
【００２１】
請求項２のＬＥＤ文字表示装置の色分けされた表示により、小形な表示器にもかかわらず、遠方に勤務場所の状況を知せることができる。
【００２２】
請求項３のＬＥＤ文字表示装置の文字等の移動の速さを変えることにより、８ｘ８ドットしかない表示で、より良くその表示の意味を表現することができる。
【００２３】
請求項４のタイマー時間の計時機能は、スイッチの簡単な操作でタイマー時間を設定でき、また、タイマー時間の計時を表示することができる。
【００２４】
請求項５でのＵＳＢ端子の電源は発光素子に必要な電圧・電流を供給することができ、このためのＡＣ／ＤＣアダプター電源を用意しなくて良い。
【図面の簡単な説明】
【図１】本考案の表示器１０とその応用装置の構成図である。
【図２】本考案のＬＥＤモジュール１１の構成図である。
【図３】本考案のスイッチ３０の構成図である。
【図４】本考案の文字・記号・絵４０の多色表示の方法を示す図である。
【図５】本考案の文字・記号・絵４０の表示の移動方法を示す図である。
【符号の説明】
１０　　　　　ＬＥＤ文字表示装置
１１　　　　　ＬＥＤモジュール
１２　　　　　８ｘ８・ドットマトリックス・ＬＥＤ
１３　　　　　８ビット・ワンチップ・マイコン
１４　　　　　基板
１５　　　　　駆動入力ポート
１６　　　　　出力ポート
２０　　　　　モジュラー・コード
２１　　　　　コネクタ
３０　　　　　スイッチ・ボックス
３１　　　　　パワー・スイッチ
３２　　　　　オン・オフＬＥＤ
３３　　　　　モード・スイッチＡ
３４　　　　　モード・スイッチＢ
４０　　　　　文字・記号・絵
４１　　　　　緑色文字
４２　　　　　赤色文字
４３　　　　　橙色文字
４４　　　　　タイマー時間
５１　　　　　“ＡＢ”
５２　　　　　“Ｂ”
５３　　　　　“ＢＣ”
６０　　　　　パーソナル・コンピュータ
６１　　　　　ＵＳＢ端子
【図１】
0003097203.tif 000003
【図２】
0003097203.tif 000004
【図３】
0003097203.tif 000005
【図４】
0003097203.tif 000006
【図５】
0003097203.tif 000007